(57)【要約】      （修正有）【課題】  液体を移動させて表示を行なう表示装置において、白い紙と同程度のペーパーホワイト表示および十分濃い光学濃度を得ることが可能となる表示装置を提供する。【解決手段】  ベース用基板１上にはイエロー用基板２、マゼンタ用基板３、シアン用基板４、ブラック用基板５およびカバー用基板６がこの順で積層されている。イエロー用基板２の上面に設けられた微小なイエロー用流路２５内の全体に供給されていた透明液体がイエロー用流体供給回収装置７Ｙの透明液体用タンク内に回収され、イエロー用流体供給回収装置７Ｙの有色液体用タンク内からイエロー用有色液体がイエロー用流路２５内の全体に供給されると、イエロー色表示となり、その逆の場合には、白色表示となる。この場合、イエロー用基板１の屈折率とイエロー用流路２５内の液体の屈折率との差分により、入射光のランダムな散乱が繰り返される。【選択図】  図２
2006313182.tif 000002
【特許請求の範囲】
【請求項１】
複数の画素を有する表示装置において、
前記各画素に対応する領域に設けられた流路を有する透明な基板と、
前記流路の一端部に接続され、前記流路内に有色液体からなる第１の流体を供給するとともにこの供給された第１の流体を回収する第１の流体供給回収手段と、
前記流路の他端部に接続され、前記流路内に前記有色液体とは異なる色を有する第２の流体を供給するとともにこの供給された第２の流体を回収する第２の流体供給回収手段と、
を備えていることを特徴とする表示装置。
【請求項２】
請求項１に記載の表示装置において、前記第１の流体供給回収手段は前記第１の流体を回収して保持する第１の流体用タンクを有し、前記第２の流体供給回収手段は前記第２の流体を回収して保持する第２の流体用タンクを有することを特徴とする表示装置。
【請求項３】
請求項２に記載の表示装置において、前記第１の流体用タンクおよび前記第２の流体用タンクの少なくとも一方は容量可変であることを特徴とする表示装置。
【請求項４】
請求項２に記載の表示装置において、前記第１の流体供給回収手段および前記第２の流体供給回収手段は、前記流路内を前記第１の流体および前記第２の流体または前記第１の流体および前記第２の流体のいずれかで満たすように、前記第１の流体用タンクまたは前記第２の流体用タンクから前記流路内に前記第１の流体および前記第２の流体を供給することを特徴とする表示装置。
【請求項５】
請求項４に記載の表示装置は、前記第１の流体供給回収手段および前記第２の流体供給回収手段より前記流路内に供給する前記第１の流体および前記第２の流体を制御して、該第１の流体と該第２の流体との界面を該流路の一端部側および他端部側のいずれかの方向に移動させて表示を行なうことを特徴とする表示装置。
【請求項６】
請求項１に記載の表示装置において、前記第１の流体および前記第２の流体は互いに混ざり合わない液体からなることを特徴とする表示装置。
【請求項７】
請求項１に記載の表示装置において、前記第２の流体は透明の流体からなることを特徴とする表示装置。
【請求項８】
請求項７に記載の表示装置において、前記第２の流体は空気であることを特徴とする表示装置。
【請求項９】
請求項１に記載の表示装置において、前記基板の屈折率と前記第１の流体および第２の流体の屈折率とは互いに異なることを特徴とする表示装置。
【請求項１０】
請求項１に記載の表示装置において、前記流路は複数の屈曲部を有することを特徴とする表示装置。
【請求項１１】
請求項１に記載の表示装置において、前記基板は複数で互いに積層され、前記各基板の流路内に前記第１の流体として、異なる色の有色液体が供給されるようになっていることを特徴とする表示装置。
【請求項１２】
請求項１１に記載の表示装置において、前記各基板の流路内に、前記第１の流体として、イエロー用有色液体、マゼンタ用有色液体およびシアン用有色液体の何れかが供給されることを特徴とする表示装置。
【請求項１３】
請求項１１に記載の表示装置において、前記各基板の流路内に、前記第１の流体として、イエロー用有色液体、マゼンタ用有色液体、シアン用有色液体およびブラック用有色液体の何れかが供給されることを特徴とする表示装置。
【請求項１４】
請求項１１又は１２に記載の表示装置において、前記複数の基板のうちの少なくとも２枚の基板に、前記第１の流体として、同じ色の有色液体が供給されることを特徴とする表示装置。
【発明の詳細な説明】
【技術分野】
【０００１】
この発明は、流体を移動させて表示を行なう表示装置に関する。
【背景技術】
【０００２】
液体を移動させて表示を行なう従来の表示装置には、１画素を構成する容器内に有色液体（誘電体）および気泡を封入し、容器の一方側の表裏両面に互いに対向して設けられた一対の第１の電極に電圧が印加されると、静電力により、有色液体を容器内の一方側に移動させるとともに、気泡を容器内の他方側に移動させ、容器の他方側の表裏両面に互いに対向して設けられた一対の第２の電極に電圧が印加されると、静電力により、有色液体を容器内の他方側に移動させるとともに、気泡を容器内の一方側に移動させ、容器の一方側のみを視認可能な画素とすることにより、表示を行なうようにしたものがある（例えば、特許文献１参照）。
【０００３】
【特許文献１】特開平８−２５４９６２号公報
【発明の開示】
【発明が解決しようとする課題】
【０００４】
ところで、上記従来の表示装置では、容器の一方側の表面側とは反対側を白色で不透明とし、容器内の一方側に気泡があるとき、白色表示とし、容器内の一方側に有色液体があるとき、有色液体の色自体による色表示としている。しかしながら、有色液体は例えば水にインクを溶かしたものであり、インク単体の吸収能力が低く、十分濃い光学濃度を得ることができないという問題がある。また、容器の一方側の表面にＩＴＯなどの透明導電材料からなる第１の電極が設けられているので、第１の電極で透明とはいっても数％の光の吸収があり、白い紙と同程度のペーパーホワイト表示を得ることができないという問題がある。
【０００５】
そこで、この発明は、十分濃い光学濃度を得ることができるとともに、白い紙と同程度のペーパーホワイト表示を得ることが可能となる表示装置を提供することを目的とする。
【課題を解決するための手段】
【０００６】
この発明は、上記目的を達成するため、複数の画素を有する表示装置において、前記各画素に対応する領域に設けられた流路を有する透明な基板と、前記流路の一端部に接続され、前記流路内に有色液体からなる第１の流体を供給するとともにこの供給された第１の流体を回収する第１の流体供給回収手段と、前記流路の他端部に接続され、前記流路内に前記有色液体とは異なる色を有する第２の流体を供給するとともにこの供給された第２の流体を回収する第２の流体供給回収手段とを備えていることを特徴とするものである。
【発明の効果】
【０００７】
この発明によれば、透明な基板の各画素に対応する領域に設けられた流路内に有色液体からなる第１の流体あるいは有色液体とは異なる色を有する第２の流体を供給することにより、十分濃い光学濃度を得ることができるとともに、第２の流体として透明の流体を用いることにより、白い紙と同程度のペーパーホワイト表示を得ることが可能となる。
【発明を実施するための最良の形態】
【０００８】
（第１実施形態）
図１はこの発明の第１実施形態としての表示装置の１画素部分の斜視図を示し、図２は図１のII−II線にほぼ沿う断面図を示す。この表示装置は、透明なガラス、樹脂、セラミックなどからなるベース用基板１、イエロー用基板２、マゼンタ用基板３、シアン用基板４、ブラック用基板５およびカバー用基板６を備えている。基板１〜６は、この順で、接着剤（図示せず）を介して接着されて積層されている。基板１〜６の接着方法は、接着剤に限らず、陽極接合、拡散接合、表面活性化接合などであってもよい。図３〜図７は図１に示すベース用基板１、イエロー用基板２、マゼンタ用基板３、シアン用基板４、ブラック用基板５の平面図を示す。なお、図１〜図７には便宜上１画素のみの構造を示すが、本実施形態における表示装置は、この構造を有する画素が複数、例えば２次元のマトリクス状に配列されて構成され、基板１〜６は複数の画素に相当する大きさを有する。
【０００９】
ベース用基板１の下面の４辺部にはイエロー用、マゼンタ用、シアン用、ブラック用の流体供給回収装置（第１の流体供給回収手段、第２の流体供給回収手段）７Ｙ、７Ｍ、７Ｃ、７Ｂが設けられている。流体供給回収装置７Ｙ、７Ｍ、７Ｃ、７Ｂの構造については、後で詳述するが、ここでは図３を参照して簡単に説明する。図３に示すように、流体供給回収装置７Ｙ、７Ｍ、７Ｃ、７Ｂは中空直方体形状のケース８Ｙ、８Ｍ、８Ｃ、８Ｂを備えている。ケース８Ｙ、８Ｍ、８Ｃ、８Ｂの上面両側には有色液体用移動孔９Ｙ、９Ｍ、９Ｃ、９Ｂおよび透明液体用移動孔１０Ｙ、１０Ｍ、１０Ｃ、１０Ｂが設けられている。
【００１０】
次に、ベース用基板１について、図３を参照して説明する。図３に示すように、ベース用基板１の右辺部中央の上側および下側には有色液体用移動孔２１Ｙおよび透明液体用移動孔２２Ｙが設けられている。ベース用基板１の右辺部上面の上側には有色液体用流路２３Ｙが有色液体用移動孔２１Ｙに接続されて設けられている。ベース用基板１の右辺部上面の下側には透明液体用流路２４Ｙが透明液体用移動孔２２Ｙに接続されて設けられている。
【００１１】
ベース用基板１の下辺部中央の右側および左側には有色液体用移動孔２１Ｍおよび透明液体用移動孔２２Ｍが設けられている。ベース用基板１の下辺部上面の右側には有色液体用流路２３Ｍが有色液体用移動孔２１Ｍに接続されて設けられている。ベース用基板１の下辺部上面の左側には透明液体用流路２４Ｍが透明液体用移動孔２２Ｍに接続されて設けられている。
【００１２】
ベース用基板１の左辺部中央の下側および上側には有色液体用移動孔２１Ｃおよび透明液体用移動孔２２Ｃが設けられている。ベース用基板１の左辺部上面の下側には有色液体用流路２３Ｃが有色液体用移動孔２１Ｃに接続されて設けられている。ベース用基板１の左辺部上面の上側には透明液体用流路２４Ｃが透明液体用移動孔２２Ｃに接続されて設けられている。
【００１３】
ベース用基板１の上辺部中央の左側および右側には有色液体用移動孔２１Ｂおよび透明液体用移動孔２２Ｂが設けられている。ベース用基板１の上辺部上面の左側には有色液体用流路２３Ｂが有色液体用移動孔２１Ｂに接続されて設けられている。ベース用基板１の上辺部上面の右側には透明液体用流路２４Ｂが透明液体用移動孔２２Ｂに接続されて設けられている。
【００１４】
有色液体用移動孔２１Ｙ、２１Ｍ、２１Ｃ、２１Ｂ、透明液体用移動孔２２Ｙ、２２Ｍ、２２Ｃ、２２Ｂ、有色液体用流路２３Ｙ、２３Ｍ、２３Ｃ、２３Ｂおよび透明液体用流路２４Ｙ、２４Ｍ、２４Ｃ、２４Ｂは、ウエットエッチングやサンドブラストなどにより形成されている。この場合、特に、有色液体用流路２３Ｙ、２３Ｍ、２３Ｃ、２３Ｂおよび透明液体用流路２４Ｙ、２４Ｍ、２４Ｃ、２４Ｂを形成するとき、まず、サンドブラストにより短時間で比較的粗い流路を形成し、次いで、ウエットエッチングにより流路をきれいにするようにしてもよい。なお、後述する液体用移動孔および流路の形成方法も同様である。
【００１５】
ここで、図３に示すように、イエロー用流体供給回収装置７Ｙは、ベース用基板１の右辺部下面中央部に、その有色液体用移動孔９Ｙおよび透明液体用移動孔１０Ｙを有色液体用移動孔２１Ｙおよび透明液体用移動孔２２Ｙに接続された状態で設けられている。マゼンタ用流体供給回収装置７Ｍは、ベース用基板１の下辺部下面中央部に、その有色液体用移動孔９Ｍおよび透明液体用移動孔１０Ｍを有色液体用移動孔２１Ｍおよび透明液体用移動孔２２Ｍに接続された状態で設けられている。
【００１６】
シアン用流体供給回収装置７Ｃは、ベース用基板１の左辺部下面中央部に、その有色液体用移動孔９Ｃおよび透明液体用移動孔１０Ｃを有色液体用移動孔２１Ｃおよび透明液体用移動孔２２Ｃに接続された状態で設けられている。ブラック用流体供給回収装置７Ｂは、ベース用基板１の上辺部下面中央部に、その有色液体用移動孔９Ｂおよび透明液体用移動孔１０Ｂを有色液体用移動孔２１Ｂおよび透明液体用移動孔２２Ｂに接続された状態で設けられている。
【００１７】
次に、ベース用基板１の上面を覆うカバーとしての役目を兼ねているイエロー用基板２について、図４を参照して説明する。図４に示すように、イエロー用基板２の上面には蛇行した（複数の屈曲部を有する）微小なイエロー用流路２５が設けられている。この場合、図４において、イエロー用流路２５はイエロー用基板２の上面の下辺部、左辺部および上辺部を除く領域に設けられ、その両端部はイエロー用基板２の上面の右辺部上側および下側に設けられている。
【００１８】
イエロー用基板２の上面の右辺部上側に配置されたイエロー用流路２５の一端部におけるイエロー用基板２には有色液体用移動孔２６Ｙが設けられている。イエロー用基板２の上面の右辺部下側に配置されたイエロー用流路２５の他端部におけるイエロー用基板２には透明液体用移動孔２７Ｙが設けられている。
【００１９】
イエロー用基板２の下辺部右側および左側には有色液体用移動孔２６Ｍおよび透明液体用移動孔２７Ｍが設けられている。イエロー用基板２の左辺部下側および上側には有色液体用移動孔２６Ｃおよび透明液体用移動孔２７Ｃが設けられている。イエロー用基板２の上辺部左側および右側には有色液体用移動孔２６Ｂおよび透明液体用移動孔２７Ｂが設けられている。
【００２０】
そして、イエロー用基板２の各液体用移動孔２６Ｙ、２７Ｙ、２６Ｍ、２７Ｍ、２６Ｃ、２７Ｃ、２６Ｂ、２７Ｂは、それぞれ、図３に示すベース用基板１の各液体用流路２３Ｙ、２４Ｙ、２３Ｍ、２４Ｍ、２３Ｃ、２４Ｃ、２３Ｂ、２４Ｂの一端部に接続されている。
【００２１】
次に、イエロー用基板２の上面を覆うカバーとしての役目を兼ねているマゼンタ用基板３について、図５を参照して説明する。図５に示すように、マゼンタ用基板３の上面には蛇行した微小なマゼンタ用流路２８が設けられている。この場合、図５において、マゼンタ用流路２８はマゼンタ用基板３の上面の左辺部、上辺部および右辺部を除く領域に設けられ、その両端部はマゼンタ用基板３の上面の下辺部右側および左側に設けられている。
【００２２】
マゼンタ用基板３の上面の下辺部右側に配置されたマゼンタ用流路２８の一端部におけるマゼンタ用基板３には有色液体用移動孔２９Ｃが設けられている。マゼンタ用基板３の上面の下辺部左側に配置されたマゼンタ用流路２８の他端部におけるマゼンタ用基板３には透明液体用移動孔３０Ｃが設けられている。
【００２３】
マゼンタ用基板３の左辺部下側および上側には有色液体用移動孔２９Ｃおよび透明液体用移動孔３０Ｃが設けられている。マゼンタ用基板３の上辺部左側および右側には有色液体用移動孔２９Ｂおよび透明液体用移動孔３０Ｂが設けられている。
【００２４】
そして、マゼンタ用基板３の各液体用移動孔２９Ｍ、３０Ｍ、２９Ｃ、３０Ｃ、２９Ｂ、３０Ｂは、それぞれ、図４に示すイエロー用基板２の各液体用移動孔２６Ｍ、２７Ｍ、２６Ｃ、２７Ｃ、２６Ｂ、２７Ｂに接続されている。
【００２５】
次に、マゼンタ用基板３の上面を覆うカバーとしての役目を兼ねているシアン用基板４について、図６を参照して説明する。図６に示すように、シアン用基板４の上面には蛇行した微小なシアン用流路３１が設けられている。この場合、図６において、シアン用流路３１はシアン用基板４の上面の上辺部、右辺部および下辺部を除く領域に設けられ、その両端部はシアン用基板４の上面の左辺部下側および上側に設けられている。
【００２６】
シアン用基板４の上面の下辺部上側に配置されたシアン用流路３１の一端部におけるシアン用基板４には有色液体用移動孔３２Ｃが設けられている。シアン用基板４の上面の左辺部上側に配置されたシアン用流路３１の他端部におけるシアン用基板４には透明液体用移動孔３３Ｃが設けられている。シアン用基板４の上辺部左側および右側には有色液体用移動孔３２Ｂおよび透明液体用移動孔３３Ｂが設けられている。
【００２７】
そして、シアン用基板４の各液体用移動孔３２Ｃ、３３Ｃ、３２Ｂ、３３Ｂは、それぞれ、図５に示すマゼンタ用基板３の各液体用移動孔２９Ｃ、３０Ｃ、２９Ｂ、３０Ｂに接続されている。
【００２８】
次に、シアン用基板４の上面を覆うカバーとしての役目を兼ねているブラック用基板５について、図７を参照して説明する。図７に示すように、ブラック用基板５の上面には蛇行した微小なブラック用流路３４が設けられている。この場合、図７において、ブラック用流路３４はブラック用基板５の上面の右辺部、下辺部および左辺部を除く領域に設けられ、その両端部はブラック用基板５の上面の上辺部左側および右側に設けられている。
【００２９】
ブラック用基板５の上面の上辺部左側に配置されたブラック用流路３４の一端部におけるブラック用基板５には有色液体用移動孔３５Ｂが設けられている。ブラック用基板５の上面の上辺部右側に配置されたブラック用流路３４の他端部におけるブラック用基板５には透明液体用移動孔３６Ｂが設けられている。
【００３０】
そして、ブラック用基板５の各液体用移動孔３５Ｂ、３６Ｂは、それぞれ、図６に示すシアン用基板４の各液体用移動孔３２Ｂ、３３Ｂに接続されている。なお、カバー用基板６はブラック用基板５の上面を覆うカバーである。なお、図２においては、イエロー用基板２、マゼンタ用基板３、シアン用基板４およびブラック用基板５に形成されるイエロー用流路２５、マゼンタ用流路２８、シアン用流路３１およびブラック用流路３４は、各基板の厚さの中間程度の深さに、溝状に設けられているとしたが、これに限らず、例えば、各基板が接合された２枚の基板からなり、上方の基板に貫通するように各流路が形成されるものであってもよい。
【００３１】
ここで、図４に示すイエロー用基板２のイエロー用流路２５の両端部の液体用移動孔２６Ｙ、２７Ｙは、図３に示す液体用流路２３Ｙ、２４Ｙおよび液体用移動孔２１Ｙ、２２Ｙを介して、イエロー用液体供給回収装置７Ｙの液体用移動孔９Ｙ、１０Ｙに接続されている。
【００３２】
図５に示すマゼンタ用基板３のマゼンタ用流路２８の両端部の液体用移動孔２９Ｍ、３０Ｍは、図４に示す液体用移動孔２６Ｍ、２７Ｍ、図３に示す液体用流路２３Ｍ、２４Ｍおよび液体用移動孔２１Ｍ、２２Ｍを介して、マゼンタ用流体供給回収装置７Ｍの液体用移動孔９Ｍ、１０Ｍに接続されている。
【００３３】
図６に示すシアン用基板４のシアン用流路３１の両端部の液体用移動孔３２Ｃ、３３Ｃは、図５に示す液体用移動孔２９Ｃ、３０Ｃ、図４に示す液体用移動孔２６Ｃ、２７Ｃ、図３に示す液体用流路２３Ｃ、２４Ｃおよび液体用移動孔２１Ｃ、２２Ｃを介して、シアン用流体供給回収装置７Ｃの液体用移動孔９Ｃ、１０Ｃに接続されている。
【００３４】
図７に示すブラック用基板５のブラック用流路３４の両端部の液体用移動孔３５Ｂ、３６Ｂは、図６に示す液体用移動孔３２Ｂ、３３Ｂ、図５に示す液体用移動孔２９Ｂ、３０Ｂ、図４に示す液体用移動孔２６Ｂ、２７Ｂ、図３に示す液体用流路２３Ｂ、２４Ｂおよび液体用移動孔２１Ｂ、２２Ｂを介して、ブラック用流体供給回収装置７Ｂの液体用移動孔９Ｂ、１０Ｂに接続されている。
【００３５】
次に、流体供給回収装置の動作について、イエロー用流体供給回収装置７Ｙを代表として説明する。図８および図９は図１に示すイエロー用流体供給回収装置の一例の動作状態を示す断面図である。図８に示すように、ケース８Ｙの上面および下面にはべた状の上側電極板１１Ｙおよび下側電極板１２Ｙが設けられている。ケース８Ｙの内部には短冊形状の可撓性電極板１３Ｙが設けられている。
【００３６】
可撓性電極板１３Ｙの一端部はケース８Ｙ内の一端部天井面に固着され、他端部はケース１内の他端部床面に固着され、途中の側面ほぼＳ字状に変形された部分よりも右側の部分はケース８Ｙ内の天井面に接触され、側面ほぼＳ字状に変形された部分よりも左側の部分はケース８Ｙ内の床面に接触されている。この場合、可撓性電極板１３Ｙの側面ほぼＳ字状に変形された部分は、相対的に、その変形状態を維持したまま、図８において左右方向に移動可能となっている。
【００３７】
そして、ケース８Ｙ内は、可撓性電極板１３Ｙの側面ほぼＳ字状に変形された部分により、有色液体用空間１４Ｙおよび透明液体用空間１５Ｙの２つに分離されている。ケース８Ｙの上面両側、それに対応する部分における上側電極板１１Ｙおよび可撓性電極板１３Ｙには有色液体用移動孔９Ｙおよび透明液体用移動孔１０Ｙが有色液体用空間１４Ｙおよび透明液体用空間１５Ｙに連通されて設けられている。
【００３８】
有色液体用空間１４Ｙ内および透明液体用空間１５Ｙ内には有色液体用タンク（第１の流体用タンク）１６Ｙおよび透明液体用タンク（第２の流体用タンク）１７Ｙが設けられている。有色液体用タンク１６Ｙおよび透明液体用タンク１７Ｙは、例えば、伸縮性を有する樹脂材料、あるいは、蛇腹構造などを有して、容量可変可能な袋状の構造を有している。そして、有色液体用タンク１６Ｙの口部は有色液体用移動孔９Ｙに連通されている。透明液体用タンク１７Ｙの口部は透明液体用移動孔１０Ｙに連通されている。
【００３９】
有色液体用タンク１６Ｙ内および透明液体用タンク１７Ｙ内にはイエロー用有色液体（第１の流体）１８Ｙおよび透明液体（第２の流体）１９Ｙが収容されている。イエロー用有色液体１８Ｙおよび透明液体１９Ｙは互いに混ざり合わないものからなっている。例えば、イエロー用有色液体１８Ｙの液体および透明液体１９Ｙとして、水、シリコーンオイル、フロリナート（米国３Ｍ社製）などからなるフッ素系不活性液体のうちのいずれか２つを用いるようにしてもよい。
【００４０】
イエロー用有色液体１８Ｙを色材は、当然のことながら、透明液体１９Ｙに溶けず、それ自体の液体のみに溶けるものからなっている。例えば、イエロー用有色液体１８Ｙの液体として水を用い、透明液体１９Ｙとしてシリコーンオイルを用いる場合には、水にイエロー用水性顔料インキを溶かす。イエロー用有色液体１８Ｙの液体としてシリコーンオイルを用い、透明液体１９Ｙとして水を用いる場合には、シリコーンオイルにイエロー用油性顔料インキを溶かす。
【００４１】
そして、図８に示す状態では、可撓性電極板１３Ｙの側面ほぼＳ字状に変形された部分が左方向移動限位置に位置し、有色液体用タンク１６Ｙの容積が最大となり、透明液体用タンク１７Ｙの容積が最小となっているので、有色液体用タンク１６Ｙ内にイエロー用有色液体１８Ｙが最大に収容され、透明液体用タンク１７Ｙ内から透明液体１９Ｙが透明液体用移動孔１０Ｙ、図３に示す透明液体用移動孔２２Ｙ、透明液体用流路２４Ｙおよび図４に示す透明液体用移動孔２７Ｙを介して、イエロー用基板２のイエロー用流路２５内の全体に供給されている。
【００４２】
この状態では、イエロー用有色液体１８Ｙおよび透明液体１９Ｙは互いに混ざり合わないものからなっているので、イエロー用有色液体１８Ｙと透明液体１９Ｙとの界面は、図４に示す有色液体用移動孔２６Ｙ内あるいは図３に示す有色液体用流路２３Ｙ内のどこかに位置するようになっている。
【００４３】
次に、このイエロー用流体供給回収装置７Ｙの動作について説明する。まず、図８に示す状態において、下側電極板１２Ｙが電気的にどことも接続されないオープン状態とされ、且つ、上側電極板１１Ｙおよび可撓性電極板１３Ｙに同符号の電圧（例えば正電圧、以下同じ）が印加されると、上側電極板１１Ｙと可撓性電極板１３Ｙとの間に発生するクーロン力による斥力により、可撓性電極板１３Ｙの側面ほぼＳ字状に変形された部分が相対的に右側に向かって移動する。
【００４４】
そして、図９に示すように、可撓性電極板１３Ｙの側面ほぼＳ字状に変形された部分が右方向移動限位置に到達すると、有色液体用タンク１６Ｙの容積が最小となり、有色液体用タンク１６Ｙ内からイエロー有色液体１８Ｙが有色液体用移動孔９Ｙを介して供給され、これに連動して、透明液体用タンク１７Ｙ内に透明液体１９Ｙが透明液体用移動孔１０Ｙを介して回収され、透明液体用タンク１７Ｙの容積が最大となる。
【００４５】
したがって、この場合には、図４に示すイエロー用基板２のイエロー用流路２５内の全体に供給されていた透明液体１９Ｙが透明液体用移動孔２７Ｙ、図３に示す透明液体用流路２４Ｙおよび透明液体用移動孔２２Ｙ、１０Ｙを介して、透明液体用タンク１７Ｙ内に回収され、且つ、有色液体用タンク１６Ｙ内からイエロー用有色液体１８Ｙが有色液体用移動孔９Ｙ、図３に示す有色液体用移動孔２１Ｙ、有色液体用流路２３Ｙおよび図４に示す有色液体用移動孔２６Ｙを介して、イエロー用基板２のイエロー用流路２５内の全体に供給される。
【００４６】
この場合、図４に示す有色液体用移動孔２６Ｙ内あるいは図３に示す有色液体用流路２３Ｙ内のどこかに位置していたイエロー用有色液体１８Ｙと透明液体１９Ｙとの界面は、図４に示すイエロー用基板２のイエロー用流路２５内を透明液体用移動孔２７Ｙ側に向かって移動し、透明液体用移動孔２７Ｙ内あるいは図３に示す透明液体用流路２４Ｙ内のどこかに位置する状態となる。
【００４７】
一方、図９に示す状態において、上側電極板１１Ｙが電気的にどことも接続されないオープン状態とされ、且つ、下側電極板１２Ｙおよび可撓性電極板１３Ｙに同符号の電圧が印加されると、下側電極板１２Ｙと可撓性電極板１３Ｙとの間に発生するクーロン力による斥力により、可撓性電極板１３Ｙの側面ほぼＳ字状に変形された部分が相対的に左側に向かって移動する。
【００４８】
そして、図８に示すように、可撓性電極板１３Ｙの側面ほぼＳ字状に変形された部分が左方向移動限位置に到達すると、透明液体用タンク１７Ｙの容積が最小となり、透明液体用タンク１７Ｙ内から透明液体１９Ｙが透明液体用移動孔１０Ｙを介して供給され、これに連動して、有色液体用タンク１６Ｙ内にイエロー用有色液体１８Ｙが有色液体用移動孔９Ｙを介して回収され、有色液体用タンク１６Ｙの容積が最大となる。
【００４９】
したがって、この場合には、図４に示すイエロー用基板２のイエロー用流路２５内の全体に供給されていたイエロー用有色液体１８Ｙが有色液体用移動孔２６Ｙ、図３に示す有色液体用流路２ＹＢおよび有色液体用移動孔２１Ｙ、９Ｙを介して、有色液体用タンク１６Ｙ内に回収され、且つ、透明液体用タンク１７Ｙ内から透明液体１９Ｙが透明液体用移動孔１０Ｙ、図３に示す透明液体用移動孔２２Ｙ、透明液体用流路２４Ｙおよび図４に示す透明液体用移動孔２７Ｙを介して、イエロー用基板２のイエロー用流路２５内の全体に供給される。
【００５０】
この場合、図４に示す透明液体用移動孔２７Ｙ内あるいは図３に示す透明液体用流路２４Ｙ内のどこかに位置していたイエロー用有色液体１８Ｙと透明液体１９Ｙとの界面は、図４に示すイエロー用基板２のイエロー用流路２５内を有色液体用移動孔２６Ｙ側に向かって移動し、有色液体用移動孔２６Ｙ内あるいは図３に示す有色液体用流路２３Ｙ内のどこかに位置する状態となる。
【００５１】
以上のように、イエロー用流体供給回収装置７Ｙでは、図８に示す状態から図９に示す状態に移行すると、図４に示すイエロー用基板２のイエロー用流路２５内の全体に供給されていた透明液体１９Ｙを回収し、且つ、イエロー用有色液体１８Ｙをイエロー用基板２のイエロー用流路２５内の全体に供給し、その逆の場合には、イエロー用基板２のイエロー用流路２５内の全体に供給されていたイエロー用有色液体１８Ｙを回収し、且つ、透明液体１９Ｙをイエロー用基板２のイエロー用流路２５内の全体に供給するようになっている。
【００５２】
これと同様に、マゼンタ用流体供給回収装置７Ｍでは、図８に示すような状態から図９に示すような状態に移行すると、図６に示すシアン用基板４のシアン用流路３１内の全体に供給されていた透明液体（第２の流体）を回収し、且つ、マゼンタ用有色液体（第１の流体）をシアン用基板４のシアン用流路３１内の全体に供給し、その逆の場合には、シアン用基板４のシアン用流路３１内の全体に供給されていたマゼンタ用有色液体を回収し、且つ、透明液体をシアン用基板４のシアン用流路３１内の全体に供給するようになっている。
【００５３】
また、シアン用流体供給回収装置７Ｃでは、図８に示すような状態から図９に示すような状態に移行すると、図５に示すマゼンタ用基板３のマゼンタ用流路２８内の全体に供給されていた透明液体（第２の流体）を回収し、且つ、シアン用有色液体（第１の流体）をマゼンタ用基板３のマゼンタ用流路２８内の全体に供給し、その逆の場合には、マゼンタ用基板３のマゼンタ用流路２８内の全体に供給されていたシアン用有色液体を回収し、且つ、透明液体をマゼンタ用基板３のマゼンタ用流路２８内の全体に供給するようになっている。
【００５４】
また、ブラック用流体供給回収装置７Ｂでは、図８に示すような状態から図９に示すような状態に移行すると、図７に示すブラック用基板５のブラック用流路３４内の全体に供給されていた透明液体（第２の流体）を回収し、且つ、ブラック用有色液体（第１の流体）をブラック用基板５のブラック用流路３４内の全体に供給し、その逆の場合には、ブラック用基板５のブラック用流路３４内の全体に供給されていたブラック用有色液体を回収し、且つ、透明液体をブラック用基板５のブラック用流路３４内の全体に供給するようになっている。
【００５５】
次に、図１および図２に示す表示装置の表示動作について説明する。まず、イエロー用基板２、マゼンタ用基板３、シアン用基板４およびブラック用基板５の流路２５、２８、３１、３４内の全体に透明液体が供給されている場合には、後述の如く、白色表示となる。
【００５６】
次に、上記白色表示状態において、イエロー用基板２のイエロー用流路２５内の全体に供給されていた透明液体が回収され、このイエロー用流路２５内の全体にイエロー用有色液体が供給された場合には、イエロー色表示となる。次に、上記白色表示状態において、マゼンタ用基板３のマゼンタ用流路２８内の全体に供給されていた透明液体が回収され、このマゼンタ用流路２８内の全体にマゼンタ用有色液体が供給された場合には、マゼンタ色表示となる。
【００５７】
次に、上記白色表示状態において、シアン用基板４のシアン用流路３１内の全体に供給されていた透明液体が回収され、このシアン用流路３１内の全体にシアン用有色液体が供給された場合には、シアン色表示となる。次に、上記白色表示状態において、ブラック用基板５のブラック用流路３４内の全体に供給されていた透明液体が回収され、このブラック用流路３４の全体にブラック用有色液体が供給された場合には、ブラック色表示となる。
【００５８】
ここで、紙の表示品位について説明する。紙は、一般的に、セルロースなどからなる繊維に白色材と呼ばれる透明粉体を混ぜたものであるが、べた状ではなく隙間があり、繊維および透明粉体の周囲に空気が存在する。そして、繊維および透明粉体の屈折率が１．３〜１．５および１．４〜１．７であるのに対し、その周囲の空気の屈折率が１．０であるので、この屈折率の差分により、入射光のランダムな散乱が繰り返され、出射光が白色に近づき、ペーパーホワイト表示となる。
【００５９】
また、紙に印刷されたインク単体での吸収能力は低いが、紙に印刷されたインクは繊維または透明粉体の表面を薄く覆っているため、紙の屈折率差分構造により、入射光のランダムな散乱が繰り返されることにより、吸収回数が増大し、出射光が十分濃い光学濃度に近づき、高濃度表示となる。
【００６０】
一方、上記表示装置では、白色表示状態において、イエロー用基板２、マゼンタ用基板３、シアン用基板４およびブラック用基板５の上面に蛇行して設けられた微小な流路２５、２８、３１、３４内の全体に透明液体が供給されている。この場合、透明なガラス、樹脂、セラミックなどからなるイエロー用基板２、マゼンタ用基板３、シアン用基板４およびブラック用基板５の屈折率が１．６〜２．５であるのに対し、透明液体の屈折率が１．３程度であるので、この屈折率の差分により、蛇行した微小な流路２５、２８、３１、３４の部分で入射光のランダムな散乱が繰り返され、出射光が白色に近づき、ペーパーホワイト表示となる。
【００６１】
また、イエロー色表示状態、マゼンタ色表示状態、シアン色表示状態およびブラック色表示状態においては、イエロー用基板２、マゼンタ用基板３、シアン用基板４およびブラック用基板５の流路２５、２８、３１、３４内の全体に供給されている有色液体単体での吸収能力は低いが、イエロー用基板２、マゼンタ用基板３、シアン用基板４およびブラック用基板５の屈折率が１．６〜２．５であるのに対し、イエロー用有色液体、マゼンタ用有色液体、シアン用有色液体およびブラック用有色液体の屈折率が１．３程度であるので、この屈折率の差分により、蛇行した微小な流路２５、２８、３１、３４の部分で入射光のランダムな散乱が繰り返されることにより、吸収回数が増大し、出射光が十分濃い光学濃度に近づき、高濃度表示となる。
【００６２】
ところで、図８に示すイエロー用流体供給回収装置７Ｙでは、下側電極板１２Ｙと可撓性電極板１３Ｙとの間に発生するクーロン力による斥力により、可撓性電極板１３Ｙの側面ほぼＳ字状に変形された部分を左方向移動限位置に到達させて、白色表示に切り換えた後には、下側電極板１２Ｙおよび可撓性電極板１３Ｙへの電圧の印加を停止しても、その間に発生していたクーロン力による斥力が消失するだけであり、可撓性電極板１３Ｙの側面ほぼＳ字状に変形された部分が左方向移動限位置に位置した状態を維持することができる。
【００６３】
一方、図９に示すように、上側電極板１１Ｙと可撓性電極板１３Ｙとの間に発生するクーロン力による斥力により、可撓性電極板１３Ｙの側面ほぼＳ字状に変形された部分を右方向移動限位置に到達させて、イエロー色表示に切り換えた後には、上側電極板１１Ｙおよび可撓性電極板１３Ｙへの電圧の印加を停止しても、その間に発生していたクーロン力による斥力が消失するだけであり、可撓性電極板１３Ｙの側面ほぼＳ字状に変形された部分が右方向移動限位置に位置した状態を維持することができる。したがって、この表示装置では、表示内容を変えない限りは電力を加える必要はなく、非常に低消費電力化することができる。
【００６４】
また、この表示装置では、イエロー用基板２、マゼンタ用基板３およびシアン用基板４の流路２５、２８、３１内にイエロー用有色液体、マゼンタ用有色液体およびシアン用有色液体を適宜に供給すると、補色表示原理に基づくフルカラー表示を行なうことができる。この場合、３つの流路２５、２８、３１内に供給する各有色液体の量を調整すると、階調表現を行なうことができる。図１０は有色液体の量を調整する場合の一例を示す断面図である。
【００６５】
３つの流路２５、２８、３１内に供給する各有色液体の量を調整する場合には、一例として、図８に示す流体供給回収装置７Ｙを参照して説明すると、図８に示す状態において、上側電極板１１Ｙおよび可撓性電極板１３Ｙに同符号の電圧が印加され、可撓性電極板１３Ｙの側面ほぼＳ字状に変形された部分が右側に向かって移動し、そして、例えば図１０に示すように、可撓性電極板１３Ｙの側面ほぼＳ字状に変形された部分がケース８Ｙ内のほぼ中央部に到達した時点で、上側電極板１１Ｙおよび可撓性電極板１３Ｙへの電圧の印加を停止すると、イエロー用有色液体７Ｙがイエロー用基板２のイエロー用流路２５内のほぼ半分に供給される。
【００６６】
また、ブラック色表示の場合には、イエロー用基板２、マゼンタ用基板３およびシアン用基板４の流路２５、２８、３１内への有色液体および透明液体の供給はどうでもよいが、イエロー用基板２、マゼンタ用基板３およびシアン用基板４の流路２５、２８、３１内の全体に有色液体または透明液体を供給しておくと、次の色表示の制御を行ないやすくすることができる。
【００６７】
なお、ブラック色表示のためのブラック用基板５およびブラック用流体供給回収装置７Ｂなどを省略し、イエロー用基板２、マゼンタ用基板３およびシアン用基板４の流路２５、２８、３１内の全体にイエロー用有色液体、マゼンタ用有色液体およびシアン用有色液体を同時に供給し、これによりブラック色表示を行なうようにしてもよい。しかしながら、ブラック用有色液体によるブラック色表示を行なうと、色再現性を向上させることができる。
【００６８】
（第２実施形態）
図１１〜図１５はそれぞれこの発明の第２実施形態としての表示装置の１画素部分のベース用基板１、イエロー用基板２、マゼンタ用基板３、シアン用基板４およびブラック用基板５の平面図を示す。まず、図１１に示すように、ベース用基板１の右上角部、右下角部、左下角部および左上角部には有色液体用流路２３Ｙ、２３Ｍ、２３Ｃ、２３Ｂの各一端部が配置されている。ベース用基板１の中央部における右上、右下、左下、左上には透明液体用流路２４Ｙ、２４Ｍ、２４Ｃ、２４Ｂの各一端部が配置されている。
【００６９】
次に、図１２に示すように、イエロー用基板２の上面には渦巻状の（複数の屈曲部を有する）微小なイエロー用流路２５が設けられている。この場合、図１２において、イエロー用流路２５はイエロー用基板２の上面の下辺部および左辺部を除く領域に設けられ、その外端部はイエロー用基板２の上面の右上角部に配置され、その内端部はイエロー用基板２の上面中央部の右上に配置されている。イエロー用流路２５の外端部におけるイエロー用基板２には有色液体用移動孔２６Ｙが設けられている。イエロー用流路２５の内端部におけるイエロー用基板２には透明液体用移動孔２７Ｙが設けられている。
【００７０】
図１２において、イエロー用基板２の右下角部、左下角部および左上角部には有色液体用移動孔２６Ｍ、２６Ｃ、２６Ｂが設けられている。イエロー用基板２の中央部の右下、左下および左上には透明液体用移動孔２７Ｍ、２７Ｃ、２７Ｂが設けられている。各液体用移動孔２６Ｙ、２６Ｍ、２６Ｃ、２６Ｂ、２７Ｙ、２７Ｍ、２７Ｃ、２７Ｂは、それぞれ、図１１に示す各液体用流路２３Ｙ、２３Ｍ、２３Ｃ、２３Ｂ、２４Ｙ、２４Ｍ、２４Ｃ、２４Ｂの一端部に接続されている。
【００７１】
次に、図１３に示すように、マゼンタ用基板３の上面には渦巻状の微小なマゼンタ用流路２８が設けられている。この場合、図１３において、マゼンタ用流路２８はマゼンタ用基板３の上面の左辺部および上辺部を除く領域に設けられ、その外端部はマゼンタ用基板３の上面の右下角部に配置され、その内端部はマゼンタ用基板３の中央部の右下に配置されている。マゼンタ用流路２８の外端部におけるマゼンタ用基板３には有色液体用移動孔２９Ｍが設けられている。マゼンタ用流路２８の内端部におけるマゼンタ用基板３には透明液体用移動孔３０Ｍが設けられている。
【００７２】
図１３において、マゼンタ用基板３の左下角部および左上角部には有色液体用移動孔２９Ｃ、２９Ｂが設けられている。マゼンタ用基板３の中央部の左下および左上には透明液体用移動孔３０Ｃ、３０Ｂが設けられている。各液体用移動孔２９Ｍ、２９Ｃ、２９Ｂ、３０Ｍ、３０Ｃ、３０Ｂは、それぞれ、図１２に示す各液体用移動孔２６Ｍ、２６Ｃ、２６Ｂ、２７Ｍ、２７Ｃ、２７Ｂに接続されている。
【００７３】
次に、図１４に示すように、シアン用基板４の上面には渦巻状の微小なシアン用流路３１が設けられている。この場合、図１４において、シアン用流路３１はシアン用基板４の上面の上辺部および右辺部を除く領域に設けられ、その外端部はシアン用基板４の上面の左下角部に配置され、その内端部はシアン用基板４の上面中央部の左下に設けられている。シアン用流路３１の外端部におけるシアン用基板４には有色液体用移動孔３２Ｃが設けられている。シアン用流路３１の内端部におけるシアン用基板４には透明液体用移動孔３３Ｃが設けられている。
【００７４】
図１４において、シアン用基板４の左上角部には有色液体用移動孔３２Ｂが設けられている。シアン用基板４の中央部の左上には透明液体用移動孔３３Ｂが設けられている。各液体用移動孔３２Ｃ、３２Ｂ、３３Ｃ、３３Ｂは、それぞれ、図１３に示す各液体用移動孔２９Ｃ、２９Ｂ、３０Ｃ、３０Ｂに接続されている。
【００７５】
次に、図１５に示すように、ブラック用基板５の上面には渦巻状の微小なブラック用流路３４が設けられている。この場合、図１５において、ブラック用流路３４はブラック用基板５の上面の右辺部および下辺部を除く領域に設けられ、その外端部はブラック用基板５の左上角部に配置され、その内端部はブラック用基板５の中央部の左上に配置されている。ブラック用流路３４の外端部におけるブラック用基板５には有色液体用移動孔３５Ｂが設けられている。ブラック用流路３４の内端部におけるブラック用基板５には透明液体用移動孔３６Ｂが設けられている。各液体用移動孔３５Ｂ、３６Ｂは、それぞれ、図１４に示す各液体用移動孔３２Ｂ、３３Ｂに接続されている。
【００７６】
ここで、図１２に示すイエロー用基板２のイエロー用流路２５の両端部の液体用移動孔２６Ｙ、２７Ｙは、図１１に示す液体用流路２３Ｙ、２４Ｙおよび液体用移動孔２１Ｙ、２２Ｙを介して、イエロー用流体供給回収装置７Ｙの液体用移動孔９Ｙ、１０Ｙに接続されている。
【００７７】
図１３に示すマゼンタ用基板３のマゼンタ用流路２８の両端部の液体用移動孔２９Ｍ、３０Ｍは、図１２に示す液体用移動孔２６Ｍ、２７Ｍ、図１１に示す液体用流路２３Ｍ、２４Ｍおよび液体用移動孔２１Ｍ、２２Ｍを介して、マゼンタ用流体供給回収装置７Ｍの液体用移動孔９Ｍ、１０Ｍに接続されている。
【００７８】
図１４に示すシアン用基板４のシアン用流路３１の両端部の液体用移動孔３２Ｃ、３３Ｃは、図１３に示す液体用移動孔２９Ｃ、３０Ｃ、図１２に示す液体用移動孔２６Ｃ、２７Ｃ、図１１に示す液体用流路２３Ｃ、２４Ｃおよび液体用移動孔２１Ｃ、２２Ｃを介して、シアン用流体供給回収装置７Ｃの液体用移動孔９Ｃ、１０Ｃに接続されている。
【００７９】
図１５に示すブラック用基板５のブラック用流路３４の両端部の液体用移動孔３５Ｂ、３６Ｂは、図１４に示す液体用移動孔３２Ｂ、３３Ｂ、図１３に示す液体用移動孔２９Ｂ、３０Ｂ、図１２に示す液体用移動孔２６Ｂ、２７Ｂ、図１１に示す液体用流路２３Ｂ、２４Ｂおよび液体用移動孔２１Ｂ、２２Ｂを介して、ブラック用流体供給回収装置７Ｂの液体用移動孔９Ｂ、１０Ｂに接続されている。
【００８０】
（その他の実施形態）
図１６、図１７はこの発明の第３実施形態、第４実施形態としての表示装置の１画素部分のイエロー用基板２の平面図を示す。上記第１実施形態では、例えば、図４に示すように、蛇行した微小なイエロー用流路２５を一筆書き状としているが、これに限らず、例えば、図１６に示すこの発明の第３実施形態のように、有色液体移動用孔２６Ｙと透明液体移動用孔２７Ｙとの間において２つの蛇行した微小なイエロー用流路２５ａ、２５ｂに分岐するようにしてもよい。
【００８１】
また、上記第２実施形態では、例えば、図１２に示すように、渦巻状の微小なイエロー用流路２５を一筆書き状としているが、これに限らず、例えば、図１７に示すこの発明の第４実施形態のように、有色液体移動用孔２６Ｙと透明液体移動用孔２７Ｙとの間において２つの渦巻状の微小なイエロー用流路２５ａ、２５ｂに分岐するようにしてもよい。
【００８２】
このように、２つ（またはそれ以上）のイエロー用流路２５ａ、２５ｂに分岐した場合には、何らかの理由により、一の流路が詰まっても、他の流路で液体の流れによる表示動作を続行することができる。
【００８３】
また、例えば、上記第１実施形態では、図１に示すように、ベース用基板１上にイエロー用基板２、マゼンタ用基板３、シアン用基板４およびブラック用基板５をこの順で積層しているが、イエロー用基板２、マゼンタ用基板３、シアン用基板４およびブラック用基板５の積層順序は、これに限定されるものではなく、どのような積層順序であってもよい。また、イエロー用基板２、マゼンタ用基板３、シアン用基板４およびブラック用基板５の各枚数は、１枚に限らず、２枚以上としてもよく、また、同枚数ではなく、異なる枚数としてもよい。
【００８４】
また、例えば、図８において、イエロー用有色液体１８Ｙの液体および透明液体１９Ｙとして共に水を用い、図４に示すイエロー用基板２のイエロー用流路２５内においてイエロー用有色液体１８Ｙと透明液体１９Ｙとの間にシリコーンオイルまたは空気を若干介在させるようにしてもよい。また、例えば、図８において、イエロー用有色液体１８Ｙの液体および透明液体１９Ｙとして共にシリコーンオイルを用い、図４に示すイエロー用基板２のイエロー用流路２５内においてイエロー用有色液体１８Ｙと透明液体１９Ｙとの間に水または空気を若干介在させるようにしてもよい。さらに、例えば、図８において、透明液体１９Ｙの代わりに、空気（透明流体）を用いるようにしてもよい。
【００８５】
また、上記各実施形態においては、各基板の流路内に透明液体を第２の流体として供給して白色表示を行なう構成としたが、白色とは異なる色の表示に設定するものであってもよい。その場合、第２の流体として、各流路に供給される有色液体とは異なる色を有する流体を供給するものであってもよい。
【図面の簡単な説明】
【００８６】
【図１】この発明の第１実施形態としての表示装置の１画素部分の斜視図。
【図２】図１のII−II線にほぼ沿う断面図。
【図３】図１に示すベース用基板の平面図。
【図４】図１に示すイエロー用基板の平面図。
【図５】図１に示すマゼンタ用基板の平面図。
【図６】図１に示すシアン用基板の平面図。
【図７】図１に示すブラック用基板の平面図。
【図８】図１に示すイエロー用流体供給回収装置の一例の一の状態の断面図。
【図９】図８に示すイエロー用流体供給回収装置の他の状態の断面図。
【図１０】図８に示すイエロー用流体供給回収装置を用いてイエロー用有色液体の供給料を調整する場合の一例を説明するために示す断面図。
【図１１】この発明の第２実施形態としての表示装置のベース用基板の平面図。
【図１２】第２実施形態としての表示装置のイエロー用基板の平面図。
【図１３】第２実施形態としての表示装置のマゼンタ用基板の平面図。
【図１４】第２実施形態としての表示装置のシアン用基板の平面図。
【図１５】第２実施形態としての表示装置のブラック用基板の平面図。
【図１６】この発明の第３実施形態としての表示装置を説明するために示すイエロー用基板の平面図。
【図１７】この発明の第４実施形態としての表示装置を説明するために示すイエロー用基板の平面図。
【符号の説明】
【００８７】
１  ベース用基板
２  イエロー用基板
３  マゼンタ用基板
４  シアン用基板
５  ブラック用基板
６  カバー用基板
７Ｙ  イエロー用流体供給回収装置
７Ｍ  マゼンタ用流体供給回収装置
７Ｃ  シアン用流体供給回収装置
７Ｂ  ブラック用流体供給回収装置
１６Ｙ  有色液体用タンク
１７Ｙ  透明液体用タンク
１８Ｙ  イエロー用有色液体
１９Ｙ  透明液体
２５  イエロー用流路
２８  マゼンタ用流路
３１  シアン用流路
３４  ブラック用流路
【図１】
2006313182.tif 000003
【図２】
2006313182.tif 000004
【図３】
2006313182.tif 000005
【図４】
2006313182.tif 000006
【図５】
2006313182.tif 000007
【図６】
2006313182.tif 000008
【図７】
2006313182.tif 000009
【図８】
2006313182.tif 000010
【図９】
2006313182.tif 000011
【図１０】
2006313182.tif 000012
【図１１】
2006313182.tif 000013
【図１２】
2006313182.tif 000014
【図１３】
2006313182.tif 000015
【図１４】
2006313182.tif 000016
【図１５】
2006313182.tif 000017
【図１６】
2006313182.tif 000018
【図１７】
2006313182.tif 000019